【事件の表示】
　特願２００５−　５５３５７「ヘアードライヤー」拒絶査定不服審判事件〔平成１７年　７月１４日出願公開、特開２００５−１８５８６４〕について、次のとおり審決する。
【結　論】
　本件審判の請求は、成り立たない。
【理　由】
１．手続の経緯
　本願は、平成１５年　５月３０日に出願した特願２００３−１５３９１５号の一部を平成１７年　３月　１日に新たな特許出願としたものであって、平成１７年　８月２２日付けの拒絶理由通知に対し、平成１７年１０月２７日付けで手続補正がなされ、当該手続補正は、平成１７年１１月３０日付けで補正の却下の決定がなされ、同日付けで拒絶査定がなされ（発送日：平成１７年１２月１３日）、平成１８年　１月１１日に拒絶査定不服の審判が請求されたものである。
　　
２．平成１７年１１月３０日付けの補正の却下の決定について
　審判請求人は、該決定に対して不服を申し立てている（平成１８年　２月　７日付け手続補正書）ので、以下、その当否について判断する。
　　
（１）本件補正発明
　平成１７年１０月２７日付けの手続補正により、特許請求の範囲の請求項１は、
「吹出口と吸込口を有する筒状の本体ケース１の内部に、起風部Ｅ１と通風部Ｅ２とが隣接して設けられており、起風部Ｅ１には、送風用のファン１３が収容されており、
　通風部Ｅ２には、ファン駆動用のモーター１２、空気加熱用のヒーター１６、およびヒーター１６を支持するヒーターホルダー１５がそれぞれ収容されており、
　ヒーターホルダー１５は、通風部Ｅ２の中心軸線に沿って配置される筒体２０と、筒体２０の周面に放射状に係合装着されて、筒体２０と本体ケース１との間の送風通路Ｓを周方向へ区分する絶縁板２１とからなり、
　筒体２０に組み付けた絶縁板２１の前部は、筒体２０の前端より前方へ突出しており、
ヒーターホルダー１５を本体ケース１内に組み込んだ状態において、絶縁板２１の前端が、本体ケース１の吹出口に設けられた吹出グリル６の近傍にまで達しており、
　ヒーター１６が、筒体２０の周面に臨む状態で絶縁板２１の周囲に巻き掛け装着されており、
　本体ケース１の内部に、電極ユニット３６、トランス３５およびイオン発生回路３８を含むイオン発生装置が配置されて、イオン発生装置で生成されたマイナスイオンを本体ケース１の前方に送出できるようになっており、
　イオン発生装置のトランス３５およびイオン発生回路３８が、筒状の樹脂モールド３９に封入されて１個のユニット部品化されており、このユニット部品が、筒体２０の前側の内部空間を利用して筒体２０内に収容されるとともに、モーター１２が、筒体２０の後側の内部空間を利用して筒体２０内に収容されており、筒体２０の内面中途にリング状の仕切壁２５が膨出形成されているヘアードライヤー。」
　と補正された（以下「本件補正発明」という。）
　　
　本件補正発明は、補正前の請求項１に係る発明におけるユニット部品の配置構造について、「（筒体２０の）前側の内部空間を利用して筒体２０内に収容されるとともに、モーター１２が、筒体２０の後側の内部空間を利用して（筒体２０内に収容されており）、筒体２０の内面中途にリング状の仕切壁２５が膨出形成されている」との限定を付加するものであり、特許請求の範囲の減縮を目的とするものであるので、本件補正発明が、特許出願の際独立して特許を受けることができるものであるか検討する。
　　　
（２）引用例
ａ　特開２００３−７９４２１号公報（以下「引用例１」という。）
　引用例１には、図面とともに、次の事項が記載されている。
　　　
（ａ）「【実施例】　図１ないし図９は、本発明をヘアードライヤに適用した実施例を示す。図２においてヘアードライヤ（送風装置）は、横長筒状の本体ケース１と、その下面一側に設けられるハンドル２とを備えている。本体ケース１は、その殆どを占めるプラスチック製の主ケース部１Ａと、主ケース部１Ａの前側端に装着されるプラスチック製の出口筒１Ｂとからなり、その内部に送風ユニットや、制御用の電気部品等を収容してなる。・・・（中略）・・・。
　送風ユニットは、図２に示すごとくモータケース５と、モータケース５に組み付けられるモータ６およびファン７と、十文字状に組まれたマイカ製の絶縁枠８に螺旋状に巻き付けられて、主ケース部１Ａの内面に沿って配置されるヒータ９などからなる。本体ケース１の後端の吸込口１０から取り込まれた空気は、ファン７によって前方へ向かって加圧送給され、ケース前端に装着した出口筒１Ｂの吹出口１１から吹き出される。このとき、ヒータ９に通電していれば、空気流のうち主ケース部１Ａの内面に沿って流れる周辺部の流れが加熱されて温風が吹き出る。出口筒１Ｂはポリカーボネイト製の成形品である。」（段落【００２６】〜【００２７】）
　
（ｂ）「本体ケース１の内部にはマイナスイオンを生成するためのイオン生成手段が組み込んである。図３においてイオン生成手段は、商用電源（１００Ｖ）からの電流を半波整流する整流回路１３と、整流した後の電流をパルス電流に変換するパルス発生回路１４と、パルス電流を例えば４ｋＶの高電圧に昇圧するトランス１５と、イオン発生器１６と、トランス１５とイオン発生器１６との間に設けられるダイオード１７などで構成してある。整流回路１３とパルス発生回路１４とは回路基板１８に実装されており、回路基板１８と昇圧用のトランス１５とは、ヒータ９用の絶縁枠８を切り欠いて形成した空間に配置される。これらの電装品は、モータ６およびファン７と共に、吸込口１０の側から本体ケース１内に組み込まれる。このとき、イオン発生器１６も同時に組み込まれる。」（段落【００２８】）
　　　
（ｃ）「図１において、出口筒１Ｂの内部には、整流筒（内枠）２０と吹出グリル２１とを組み込んであり、イオン発生器１６を整流筒２０で支持して、ファン７で起生した空気流のほぼ中央にイオン発生器１６を位置させている。整流筒２０は断面円形に形成してあり、その内部前端に放射状に設けた整流翼２２と、筒壁の中央に設けた導風筒２３とを一体成形したポリカーボネイト製のプラスチック成形品からなる。出口筒１Ｂの内面に設けた段部２４に吹出グリル２１を嵌め込んだ後、整流筒２０を出口筒１Ｂに内嵌固定することにより、吹出グリル２１を遊動不能に固定し、これら三者を１個のユニット部品として取り扱えるようにする。・・・。吹出グリル２１は、従前どおりヒータ９やモータ６への接触を規制するために設けられるが、イオン発生用回路への接触を防ぐことにも役立っている。整流翼２２は、ファン６で生起された旋回する空気流を直線状の空気流に整流する。」（段落【００２９】）
　
（ｄ）「イオン発生器１６（電極ホルダー３３）は、他の電装品とともに接続して主ケース部１Ａの吸込口１０側から組み込むのではなく、導風筒２３に予め組み込み四者でユニット化した後に、主ケース部１Ａに組み込んだ他の電装品側にリード線を接続し、その後、同ユニットを主ケース部１Ａに溶着固定してもよい。」（段落【００３１】）
　　　
　そして、十文字状に組まれた絶縁枠は、本体ケースと中心軸線との間の送風通路を周方向に区分するものと理解できる。
  
　上記の記載及び図面から、引用例１には、
「吹出口と吸込口とを有する筒状の本体ケースの内部に、送風用のファンが収容された部位と、モータ、ヒーター、ヒーターが螺旋状に巻き付けられる絶縁枠が収容された部位とが隣接して設けられており、
　該絶縁枠は、十文字状に組まれたものであって、本体ケースと中心軸線との間の送風通路を周方向に区分するものであり、
　本体ケースの吹出口に吹出グリルが設けられており、
　本体ケースの内部に、イオン発生器、商用電源から供給される電流を整流する整流回路及び整流された電流をパルス電流に変換するパルス発生回路（回路基板）、パルス電流を昇圧するトランスなど（イオン生成手段）が配置され、該イオン生成手段で生成されたマイナスイオンを本体ケースの前方に送出できるようになっており、イオン生成手段のトランス、回路基板は、絶縁枠を切り欠いて形成した空間に配置されるヘアードライヤ。」（以下「引用発明１」という。）が記載されている。
　　
ｂ　特開昭５９−１６８８０７号公報（以下「引用例２」という。）には、図面とともに次の事項が記載されている。
　　
（ａ）「［発明の利用分野］本発明はヒーターの構造に係り、特にヘアードライヤーに好適なヒーターに関する。」（第１頁左下欄第１２〜１４行）
　　
（ｂ）「その一例として第７図及び第８図に示すものがあるが、このヘアードライヤーは風量及び熱量を無段階に任意に調整できることを特徴としておりますが、ヒーター部に工夫をこらしてあります。ヒーター部の構造は耐熱性のあるパイプを基本に構成され、パイプの外周に６枚のマイカ基板を等間隔に樹立させその外周にヒーター線を券装してあります。またパイプの内面には風量及び熱量を無段階に調整させるための電子部品を乗せたプリント基板を設けてあります。温度過昇防止装置はパイプの外周表面に固定してあります。」（第１頁右下欄第１〜１２行）
　　
　そして、第７図記載のヘアードライヤーにおいて、吹出口と吸込口を有する筒状の本体ケースと送風用のファンを具備するものであることは明らかであり、該ファンの収容されている部位に隣接して通風部が設けられているものと理解できる。
　また、第８図によると、マイカ基板は、パイプの周面に放射状に設けられているものと理解でき、第７図によると、パイプは、通風部の中心軸線に沿って配置されるものと理解できる。
　　
　そうすると、引用例２には、
「吹出口と吸込口を有する筒状の本体ケースの内部に、送風用のファンが収容された起風部と空気加熱用のヒーター部が収容された通風部とが隣接して設けられており、
　ヒーター部の支持は、通風部の中心軸線に沿って配置される耐熱性のパイプと、該パイプの外周面に放射状に設けられて、該パイプと本体ケースとの間に送風通路を周方向に区分するマイカ基板とで行われ、ヒーター線がマイカ基板の外周に券装してあるとともに、
パイプの内面に、風量及び熱量を調整するための電子部品を乗せたプリント基板を設けたヘアードライヤー。」（以下「引用発明２」という。）
　が記載されている。
　　
ｃ　特開２０００−２１０１１８号公報（以下「引用例３」という。）には、図面とともに、次の事項が記載されている。
　　
（ａ）「【請求項１】送風手段と異物混入防止用の格子が配設された吐風口との間にヒーターブロックを配置しているヘアドライヤーにおいて、ヒーターブロックは放射状に組み合わされた複数枚のヒーター基板にヒーター線を巻きつけたものとして形成されており、吐風口に配された格子の背面に前端を当接させている上記ヒーター基板は格子との間に隙間を形成する切り欠きを前端の一部に備えていることを特徴とするヘアドライヤー。
　【請求項２】　少なくとも１枚のヒーター基板はその前端が格子の中央部背面に接していることを特徴とする請求項１記載のヘアドライヤー。」（【特許請求の範囲】）
　　
（ｂ）「主ハウジング１０の前部内にはヒーターブロック３が配設されている。このヒーターブロック３は、側縁にヒーター線取付溝３３を備えた複数枚のヒーター基板３１，３２を放射状に組み合わせる（図示例では２枚を十字型に組み合わせる）とともに、上記ヒーター線取付溝３３を利用してヒーター線３４を巻回したもので、金属製の耐熱筒４を介して主ハウジング１０内に配設されている。
　そして、ヒーターブロック３におけるヒーター基板３１，３２の前端は上記格子１５の背面に接することで格子１５の補強を行っているのであるが、ヒーター基板３１，３２前端の中央よりも側端側の位置には切り欠き３６を設けて、格子１５との間に１ｍｍほどの隙間をあけている。なお、都合４つの切り欠き３６は同心円上に並ぶようにしている。」（段落【００１０】、【００１１】）
　　　
　そうすると、引用例３には、
「送風手段とヒーターブロックを備えたヘアドライヤーにおいて、ヒーターブロックは、放射状に組み合わされた複数枚のヒーター基板にヒーター線を巻回したものとして形成され、該ヒーター基板に一部切り欠けを設けるとともに、その前端を、異物混入防止用の格子の背面に当接させたもの。」（以下「引用発明３」という。）が記載されている。
　　
ｄ　実用新案登録第３０９０９７９号公報（以下「引用例４」という。）には、図面とともに、次の事項が記載されている。
　　
（ａ）「 最近、マイナスイオンを発生させることができる各種のヘアドライヤーが発売されている。・・・（中略）・・・。　しかしながら、ボディ本体外にイオン発生器を取り付けるようにしたヘアドライヤーでは、ボディ本体外に、イオン発生器を取り付けるためのスペースが必要になり、ヘアドライヤーが大型化する。また、ボディ本体の内面に粉状体コーティング層を設けるようにしたヘアドライヤーでは、ボディ本体の作製後にボディ本体の内面に後加工をする（すなわち、砂岩粉状体と多元素鉱物粉状体とを焼き付けて形成してなる粉状体コーティング層を設ける）必要があるため、焼き付け，コーティング等の後加工費が嵩んで販売価格が高価になる。・・・
　本考案は、このような事情に鑑みなされたもので、コンパクトで、かつ、販売価格が安価で、耐久性に優れるヘアドライヤーの提供をその目的とする。」（段落【０００２】〜【０００４】）
　　
（ｂ）「上記両ケース２ａ，２ｂの内部空間のうち、上記ファン４と空気吹き出し口部６とを連通する空間が空気吹き出し通路８（図２参照）に形成されている。この空気吹き出し通路８には、十字形状に組み付けられる一対の平板フレーム２１，２２と、これら両平板フレーム２１，２２に取り付けられるニクロム線等のヒーター２３等を有する加熱手段が配設されている（図８参照）。また、上記空気吹き出し通路８には、電気式のオゾン非発生タイプのマイナスイオン発生器２４が上記モータ５の前側に位置決めされ、かつ、このモータ５の前側面に固定された状態で、配設されている。
　上記マイナスイオン発生器２４は、図７〜図９に示すように、回路板（図示せず），トランスＴ（図１０参照）等を略円筒体形状の合成樹脂製枠体２６に内蔵してなるブロック状部材（合成樹脂製ブロック状体）２５を有しており、その前側面２６ａ（上記吹き出し口網部７に対面する側面）から、後述する直列共振回路Ｓｒ（図１０参照）用のリード線２７，２８、アース線２９および先端にマイナスイオン電極３１を設けたリード線３０が延びている。また、上記ブロック状部材２５には、その後側面２６ｂ（上記モータ５に対面する側面）に凹部２６ｃが形成されており、この凹部２６ｃが、上記モータ５の前側面から突設された凸部５ａ（図２参照）と係合した状態で、上記ブロック状部材２５がモータ５の前側面に固定されている。なお、上記ブロック状部材２５は、回路板，トランスＴ等を合成樹脂材料で被覆してなる略円柱体形状のもので構成されていてもよい。」（段落【００１５】、【００１６】）
　　
　以上の記載及び図面によると、引用例４には、
「ヘアドライヤーにおいて、マイナスイオン発生器を、回路板、トランス等を略円筒形状の合成樹脂製枠体に内蔵してなるブロック状部材（合成樹脂製ブロック状体）とし、ダライヤー本体内の略中心軸線に沿って、モータの前側に配置すること。」（以下「引用発明４」という。）が記載されている。　　　　
ｅ　特開平６−１２５８１０号公報（以下「引用例５」という。）には、図面とともに、次の事項が記載されている。
　　
（ａ）「本発明をヘアードライヤに適用した場合の実施例を図面に基づき説明する。」（段落【０００７】）
　
（ｂ）「組み立てに際し、前ケース１ａに後ケース１ｂを突き合わせ接合する前工程では、その前ケース１ａの内部にヒータ７とモータ９とを前後に配して収容するが、この収容に際しては、予めこれらヒータ７およびモータ９を亜鉛鋼板やアルミニウム板などのように熱線を反射し易い光沢性や明色性に優れる金属製の遮熱筒１０の内部に収め、そのうえで前ケース１ａにこれの後方から遮熱筒１０ごと挿入する。
　この場合、図３および図４に示すように、モータ９はそれの後端部が遮熱筒１０の後側に配置されるモータ保持筒１１に嵌合されるとともに、それの前端部が遮熱筒１０の内部に配置されるヒータ保持用の絶縁内筒１２の内部に嵌合され、その絶縁内筒１２の外周から放射状に張り出した放射板１３の外周にわたってヒータ７が巻付けられる。また、ヒータ７の外周は放射板１３どうしをつなぐよう絶縁内筒１２と同心円状に一体形成されたマイカシートのような絶縁外筒１４で囲まれ、この絶縁外筒１４が遮熱筒１０の内面に挿入嵌合される。」（段落【０００９】）
　　
　以上の記載及び図面によると、引用例５には、
「ヘアードライヤーにおいて、モータ９は、ヒータ保持用の絶縁内筒１２の内部に、嵌合され、その絶縁内筒１２の外周から放射状に張り出した放射板１３の外周にわたってヒータ７が巻付けられること。」（以下「引用発明５」という。）が記載されている。
　　
（３）対比・判断
　本願補正発明と引用発明１とを対比すると、引用発明１における「送風ファンが収容された部位」は本願補正発明における「起風部」に、以下同様に、「モータ、ヒーター、ヒーターが螺旋状に巻き付けられる絶縁枠が収容された部位」は「通風部」に、「モータ」は「ファン駆動用のモータ」に、「ヒーター」は「空気加熱用のヒーター」に、「ヒーターが螺旋状に巻き付けられる絶縁枠」は「ヒーターホルダー」に、「螺旋状に巻き付けられ」は「周囲に巻き掛け装着され」に、「イオン発生器」は「電極ユニット」に、「回路基板」は「イオン発生回路」に、「イオン生成手段」は「イオン発生装置」に、「ヘアードライヤ」は「ヘアードライヤー」に、それぞれ相当している。
　
　したがって、両者は、
「吹出口と吸込口を有する筒状の本体ケース１の内部に、起風部と通風部とが隣接して設けられており、起風部には、送風用のファンが収容されており、
　通風部には、ファン駆動用のモーター、空気加熱用のヒーター、およびヒーターを支持するヒーターホルダーがそれぞれ収容されており、
　ヒーターホルダーは、本体ケースとの間の送風通路を周方向へ区分する絶縁板を具備し、
　ヒーターが、絶縁板の周囲に巻き掛け装着されており、
　本体ケースの内部に、電極ユニット、トランスおよびイオン発生回路を含むイオン発生装置が配置されて、イオン発生装置で生成されたマイナスイオンを本体ケースの前方に送出できるようになっている、ヘアードライヤー」　の点で一致し、次のａ〜ｄの点で相違する。
　　
ａ　ヒーターホルダーが、本願補正発明では、通風部の中心軸線に沿って配置される筒体と、筒体の周面に放射状に係合装着されて、筒体と本体ケースとの間の送風通路を周方向へ区分する絶縁板とからなるものとするとともに、ヒーターが筒体の周面に臨む状態で装着されているのに対し、引用発明１では、十文字状に組まれた絶縁枠であって、該絶縁枠は、本体ケースと中心軸線との間の送風通路を周方向に区分するものであるとともに、該絶縁枠にヒーターが巻き付けられている点。
　
ｂ　本願補正発明では、ケース内部に筒体を有し、イオン発生装置をその前側の内部空間に収容し、後側の内部空間にモーターを収容するとともに、その内面中途にリング状の仕切壁が膨出形成されているのに対し、引用発明１では、該構成を具備しない点。
ｃ　絶縁板が、本願補正発明では、その前部は、筒体の前端より前方へ突出しており、ヒーターホルダーを本体ケース内に組み込んだ状態において、その前端が、本体ケースの吹出口に設けられた吹出グリルの近傍にまで達しているのに対し、引用発明１では、該構成を具備しない点。
　
ｄ　イオン発生装置に関し、本願補正発明では、トランスおよびイオン発生回路が、筒状の樹脂モールドに封入されて１個のユニット部品化されているのに対し、引用発明１では、該構成を具備しない点。
　　　
　そこで、上記相違点について検討する。
　まず、相違点ａについて検討する。
　引用発明２と本願補正発明とを比べると、引用発明２の「耐熱性のパイプ」は本願補正発明の「筒体」に相当し、「マイカ基板」は「絶縁板」に、「ヒーター線」は「ヒーター」に、「電子部品を乗せたプリント基板」は「ユニット部品」に、それぞれ相当している。
　　
　したがって、引用発明２は、
「吹出口と吸込口を有する筒状の本体ケースの内部に、送風用のファンが収容された起風部と空気加熱用のヒーター部が収容された通風部が隣接して設けられており、
　ヒーター部の支持は、通風部の中心軸線に沿って配置される筒体と、該筒体の外周面に放射状に設けられて、該筒体と本体ケースとの間に送風通路を周方向に区分する絶縁板とで行われ、ヒーターが絶縁板の外周に券装してあるとともに、筒体の内面に風量及び熱量を調整するためのユニット部品を設けたヘアードライヤー」であるといえる。
　
　そして、絶縁板を筒体にどのような態様で設けるか、すなわち、係合装着するか、固着するかなどは、当業者が適宜選択し得る設計的事項である。
　また、引用発明２において、ヒーター線がパイプの周囲に臨む状態で巻装されているか不明であるが、空気加熱の効率を向上させるため、このような構成を採用することは、当業者であれば、容易になし得ることである。
　さらに、引用発明２も、引用発明１と同様、ヘアドライヤに関する技術である。
　そうすると、引用発明１において、ヒートホルダーを、十文字状に組まれた絶縁枠に代えて、通風部の中心軸線に沿って配置される筒体と、筒体の周面に放射状に係合装着されて、筒体と本体ケースとの間の送風通路を周方向へ区分する絶縁板とからなるものとするとともに、ヒーターが筒体の周面に臨む状態で装着されているものとした点は、引用発明２に基づいて、当業者が容易に想到しえたことである。
　　
　次に、相違点ｂについて検討する。
　先にみたとおり、引用発明２は、本体ケース内部に、筒体を設け、その内部にユニット部品を設けたものである。
　また、引用発明５は、筒体（「ヒータ保持用の絶縁内筒１２」に相当。）内部にモーター（「モータ」）を収容したものである。
　さらに、筒体の前後どちらにどのような部品を収容するか、その中間に仕切壁を設けるかというようなことは、必要に応じて、当業者が適宜採用し得る設計的事項である。
　また、引用発明５も、引用発明１、引用発明２と同様、ヘアドライヤに関する技術である。
　そうすると、引用発明１において、ケース内部に筒体を有し、イオン発生装置をその前側の内部空間に収容し、後側の内部空間にモーターを収容するとともに、その内面中途にリング状の仕切壁が膨出形成されているものとした点は、引用発明２及び引用発明５に基づいて、当業者が容易に想到しえたことである。
　
　さらに、相違点ｃについて検討する。
　引用発明３と本願補正発明とを対比すると、引用発明３の「送風手段」は本願補正発明の「送風用のファン」に相当し、同様に「ヒーター基板」は「絶縁板」に、「ヒーターブロック」は「ヒーターホルダー」に、「ヒーター線」は「ヒーター」に、「格子」は「吹出グリル」に、それぞれ相当している。
　
　そして、引用発明３の「ヒーター基板に一部切り欠けを設けるとともに、その前端を、・・・背面に当接させ」ることは、本願補正発明の「絶縁板の前部は、・・・吹出グリルの近傍にまで達」することと同義である。
　したがって、引用発明３は、
　送風用のファンとヒーターホルダーを備えたヘアドライヤーにおいて、ヒーターホルダーは、放射状に組み合わされた複数枚の絶縁板にヒーターを巻回したものとして形成され、該絶縁板の前部は、吹出グリルの近傍にまで達するようにしたもの、といい代えることができる。
　また、引用発明３も、引用発明１と同様、ヘアドライヤに関する技術である。
　そうすると、引用発明１において、絶縁板の前部は、（筒体の前端より）前方へ突出しており、ヒーターホルダーを本体ケース内に組み込んだ状態において、その前端が、本体ケースの吹出口に設けられた吹出グリルの近傍にまで達しているものとした点は、引用発明３に基づいて、当業者であれば、必要に応じて、容易に想到し得たことである。
　　　
　さらに、相違点ｄについて検討する。
　引用発明４は、マイナスイオン発生装置（「マイナスイオン発生器」に相当。）において、トランス、イオン発生回路（「回路板」）を筒状（「略円筒型状」）の樹脂モールドに封入した（「合成樹脂製枠体に内蔵してなる」）ものである。
　　
　そして、引用発明４も引用発明１と同様、ヘアドライヤに関する技術である。
　したがって、引用発明１において、トランスおよびイオン発生回路が、筒状の樹脂モールドに封入されて１個のユニット部品化されたものとした点は、必要に応じ、引用発明４に基づいて、当業者が容易に想到し得たことである。
　　
　ここで、本願補正発明の奏する作用効果について検討する。
　審判請求人が平成１８年２月７日付けの手続補正書において主張している作用効果は、膨出形成された仕切壁に関するものを除いて、いずれも、各引用発明が具備するものであって、格別新たな作用効果を奏するものとも思われない。しかも、仕切壁を形成することによる効果については、出願当初より、明細書に記載されたものでもない。
　してみると、本願補正発明の奏する作用効果は、引用発明１ないし引用発明５から当業者が予測し得たものである。
　　
　本願補正発明は、引用発明に示された各電気部品の配置構造に特徴を有するものであるとしても、当業者が、通常の創作能力を発揮することによりなし得る程度のものである。
　
　したがって、本願補正発明は、引用発明１ないし引用発明５に基づいて、当業者であれば、容易に発明することができたものであるから、特許出願の際独立して特許を受けることができないものである。
（４）まとめ
　以上のとおり、平成１７年１１月３０日付けの手続補正が、平成１８年改正前特許法第１７条の２第５項において準用する同法第１２６条第５項の規定に違反するものであるから、特許法第５３条第１項の規定により却下するとした前審の決定に誤りはない。
　
３．本願発明について
（１）本願発明
　前記のとおり、平成１７年１１月３０日付けの手続補正は、却下されたので、本願の発明は、平成１７年　７月　４日付けの手続補正により補正された明細書及び図面の記載からみて、その特許請求の範囲に記載されたものであるところ、請求項１に係る発明は、特許請求の範囲の請求項１に記載された次の事項により特定されるものである（以下「本願発明」という。）。
「【請求項１】
　吹出口と吸込口を有する筒状の本体ケース１の内部に、起風部Ｅ１と通風部Ｅ２とが隣接して設けられており、
　起風部Ｅ１には、送風用のファン１３が収容されており、
　通風部Ｅ２には、ファン駆動用のモーター１２、空気加熱用のヒーター１６、およびヒーター１６を支持するヒーターホルダー１５がそれぞれ収容されており、
　ヒーターホルダー１５は、通風部Ｅ２の中心軸線に沿って配置される筒体２０と、筒体２０の周面に放射状に係合装着されて、筒体２０と本体ケース１との間の送風通路Ｓを周方向へ区分する絶縁板２１とからなり、
　筒体２０に組み付けた絶縁板２１の前部は、筒体２０の前端より前方へ突出しており、ヒーターホルダー１５を本体ケース１内に組み込んだ状態において、絶縁板２１の前端が、本体ケース１の吹出口に設けられた吹出グリル６の近傍にまで達しており、
　ヒーター１６が、筒体２０の周面に臨む状態で絶縁板２１の周囲に巻き掛け装着されており、
　本体ケース１の内部に、電極ユニット３６、トランス３５およびイオン発生回路３８を含むイオン発生装置が配置されて、イオン発生装置で生成されたマイナスイオンを本体ケース１の前方に送出できるようになっており、
　イオン発生装置のトランス３５およびイオン発生回路３８が、筒状の樹脂モールド３９に封入されて１個のユニット部品化されており、このユニット部品が、筒体２０の内部に収容されているヘアードライヤー。」
　　　
（２）引用例
　前審における拒絶の査定に引用した引用文献とその記載内容は、前記「２．（２）」で示したとおりのものである。
　　　
（３）対比・判断
　本願発明は、前記「２．」で検討した本件補正発明から、ユニット部品の配置構造について「（筒体２０の）前側の内部空間を利用して筒体２０内に収容されるとともに、モーター１２が、筒体２０の後側の内部空間を利用して（筒体２０内に収容されており）、
 筒体２０の内面中途にリング状の仕切壁２５が膨出形成されている」との限定事項を省いたものである。
　　
　そうすると、本願発明の発明特定事項をすべて含み、さらに他の事項を付加したものに相当する本願補正発明が、前記「２．（３）」に記載したとおり、引用発明１ないし引用発明５に基づいて、当業者が容易に発明することができたものであるから、本願発明も、同様の理由により、引用発明１ないし引用発明５に基づいて、当業者が容易に発明することができたものである。
　　　
４．むすび
　以上のとおり、本願発明は、引用発明１ないし引用発明５に基づいて、当業者が容易に発明することができたものであるから、特許法第２９条第２項の規定により特許を受けることができない。
　　　
　よって、結論のとおり審決する。